【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
頭部搭載型ディスプレイシステムであって、前記頭部搭載型ディスプレイシステムは、
ディスプレイと、
実行可能命令を記憶している非一過性コンピュータ読み取り可能な記憶媒体と、
前記非一過性コンピュータ読み取り可能な記憶媒体と通信しているプロセッサと
を備え、
前記プロセッサは、
第１のデータオブジェクトを含む第１の通信を第１のデバイスから受信することであって、前記第１の通信は、少なくとも部分的に第１の共有データに基づいて生成され、前記第１のデバイスは、前記第１の共有データを第３のデバイスに送信するように構成さている、ことと、
第２のデータオブジェクトを含む第２の通信を第２のデバイスから受信することであって、前記第２の通信は、少なくとも部分的に第２の共有データに基づいて生成され、前記第２のデバイスは、前記第２の共有データを前記第３のデバイスに送信するように構成さている、ことと、
前記第１のデータオブジェクトおよび前記第２のデータオブジェクトを前記第３のデバイスに伝送することであって、前記第３のデバイスは、少なくとも部分的に前記第１のデバイスからの前記第１の共有データ、前記第２のデバイスからの前記第２の共有データ、前記頭部搭載型ディスプレイシステムからの前記第１のデータオブジェクト、および前記頭部搭載型ディスプレイシステムからの前記第２のデータオブジェクトに基づいて、前記頭部搭載型ディスプレイシステム、前記第１のデバイス、および前記第２のデバイスを認証するように構成されている、ことと、
第３のデータオブジェクトを含む第３の通信を前記第３のデバイスから受信することであって、前記第３のデータオブジェクトは、前記第３のデバイスが前記頭部搭載型ディスプレイシステム、前記第１のデバイス、および前記第２のデバイスを正常に認証したことを示す、ことと、
前記頭部搭載型ディスプレイシステムのユーザに、前記第３のデバイスが前記頭部搭載型ディスプレイを正常に認証したことを通知することと
を行うための前記実行可能命令によってプログラムされている、
頭部搭載型ディスプレイシステム。
【請求項２】
前記第３のデバイスは、クラウドを経由して、前記頭部搭載型ディスプレイシステム、前記第１のデバイス、および前記第２のデバイスと通信する、請求項１に記載の頭部搭載型ディスプレイシステム。
【請求項３】
前記プロセッサは、前記頭部搭載型ディスプレイシステムの識別子を前記第３のデバイスに伝送するための前記実行可能命令によってさらにプログラムされている、請求項１に記載の頭部搭載型ディスプレイシステム。
【請求項４】
前記第１の通信は、前記第１のデバイスによって生成されている、請求項１に記載の頭部搭載型ディスプレイシステム。
【請求項５】
前記第２の通信は、前記第２のデバイスによって生成されている、請求項１に記載の頭部搭載型ディスプレイシステム。
【請求項６】
前記頭部搭載型ディスプレイシステム、前記第１のデバイス、および前記第２のデバイスを認証するために、前記第３のデバイスは、
前記第１の共有データに基づいて、前記第１のデータオブジェクトを生成することと、
前記第３のデバイスによって生成された前記第１のデータオブジェクトと前記頭部搭載型ディスプレイシステムからの前記第１のデータオブジェクトとの一貫性を確かめることと、
前記第２の共有データに基づいて、前記第２のデータオブジェクトを生成することと、
前記第３のデバイスによって生成された前記第２のデータオブジェクトと前記頭部搭載型ディスプレイシステムからの前記第２のデータオブジェクトとの一貫性を確かめることと
を行うように構成されている、請求項１に記載の頭部搭載型ディスプレイシステム。
【請求項７】
前記第１の通信は、少なくとも部分的に第１のデータに基づいて、前記第１のデバイスによって生成され、前記第１のデータは、少なくとも部分的に前記第１の共有データに基づいて、前記第３のデバイスによって生成されている、請求項１に記載の頭部搭載型ディスプレイシステム。
【請求項８】
前記第２の通信は、少なくとも部分的に第２のデータに基づいて、前記第２のデバイスによって生成され、前記第２のデータは、少なくとも部分的に前記第２の共有データに基づいて、前記第３のデバイスによって生成されている、請求項７に記載の頭部搭載型ディスプレイシステム。
【請求項９】
前記第１の共有データは、前記第１のデバイスの識別子を含み、前記第２の共有データは、前記第２のデバイスの識別子を含む、請求項１に記載の頭部搭載型ディスプレイシステム。
【請求項１０】
前記第１のデバイスの前記識別子は、前記第１のデバイスを一意に識別し、前記第２のデバイスの前記識別子は、前記第２のデバイスを一意に識別する、請求項９に記載の頭部搭載型ディスプレイシステム。
【請求項１１】
前記第１の共有データおよび前記第２の共有データのうちの少なくとも１つは、発話された語句を含む、請求項１に記載の頭部搭載型ディスプレイシステム。
【請求項１２】
前記第１の共有データおよび前記第２の共有データのうちの少なくとも１つは、発話された語句の１つ以上のスペクトルの質を含む、請求項１に記載の頭部搭載型ディスプレイシステム。
【請求項１３】
前記第１の共有データおよび前記第２の共有データのうちの少なくとも１つは、ユーザのバイオメトリックデータを含む、請求項１に記載の頭部搭載型ディスプレイシステム。
【請求項１４】
前記第１の通信および前記第２の通信のうちの少なくとも１つは、光学通信を含む、請求項１に記載の頭部搭載型ディスプレイシステム。
【請求項１５】
前記第１の通信および前記第２の通信のうちの少なくとも１つは、オーディオ通信を含む、請求項１に記載の頭部搭載型ディスプレイシステム。
【請求項１６】
前記第１の通信、前記第２の通信、および前記第３の通信のうちの少なくとも１つは、無線通信チャネルを介して受信される、請求項１に記載の頭部搭載型ディスプレイシステム。
【請求項１７】
前記第１のデバイスおよび前記第２のデバイスのうちの少なくとも１つは、別の頭部搭載型ディスプレイシステム、頭部搭載型ディスプレイシステム、トーテム、携帯電話、タブレットコンピュータ、モバイルデバイス、または任意のそれらの組み合わせのうちの少なくとも１つを含む、請求項１に記載の頭部搭載型ディスプレイシステム。
【請求項１８】
ウェアラブルディスプレイシステムであって、前記ウェアラブルディスプレイシステムは、
ディスプレイと、
コンパニオンデバイスの画像を捕捉するように構成された画像捕捉デバイスと、
前記コンパニオンデバイスの画像および実行可能命令を記憶するように構成された非一過性コンピュータ読み取り可能な記憶媒体と、
前記画像捕捉デバイスおよび前記非一過性コンピュータ読み取り可能な記憶媒体と通信しているプロセッサと
を備え、
前記プロセッサは、
前記画像捕捉デバイスによって捕捉された前記コンパニオンデバイスによって表示される第１の光学パターンの第１の画像を受信することであって、前記第１の光学パターンは、第１の共有データに基づいて、前記コンパニオンデバイスによって生成されている、ことと、
第１のデータを前記受信された第１の画像内の前記第１の光学パターンから抽出することと、
前記第１の光学パターンから抽出された前記第１のデータに基づいて、前記コンパニオンデバイスを認証することと、
前記ウェアラブルディスプレイシステムのユーザに、前記コンパニオンデバイスが認証されたことを通知することと
を行うための前記実行可能命令によってプログラムされている、
ウェアラブルディスプレイシステム。
【請求項１９】
デバイス認証のための方法であって、前記方法は、
ハードウェアプロセッサの制御のもとで、
通信チャネルを介して、データオブジェクトを受信することと、
コンパニオンデバイスによって表示される光学パターンの画像を受信することであって、前記光学パターンは、共有データを使用して、前記コンパニオンデバイスによって生成されている、ことと、
第１のデータを前記受信された画像内の前記光学パターンから抽出することと、
前記第１のデータを使用して、前記データオブジェクトの変換を生成することと、
認証のために、前記通信チャネルを介して、前記データオブジェクトの前記変換を前記コンパニオンデバイスに伝送することと
を含む、方法。
【請求項２０】
頭部搭載型ディスプレイシステムであって、前記頭部搭載型ディスプレイシステムは、
ディスプレイと、
実行可能命令を記憶している非一過性コンピュータ読み取り可能な記憶媒体と、
前記非一過性コンピュータ読み取り可能な記憶媒体と通信しているプロセッサと
を備え、
前記プロセッサは、
第１の通信をデバイスから受信することであって、前記第１の通信は、第１の共有情報に基づいて、前記デバイスによって生成されている、ことと、
第１の情報を前記第１の通信から抽出することと、
前記第１の通信から抽出された前記第１の情報に基づいて、前記デバイスを認証することと、
前記頭部搭載型ディスプレイシステムのユーザに、前記デバイスが認証されたことを通知することと
を行うための前記実行可能命令によってプログラムされている、
頭部搭載型ディスプレイシステム。
【手続補正２】
【補正対象書類名】明細書
【補正対象項目名】０００９
【補正方法】変更
【補正の内容】
【０００９】
本明細書に説明される主題の１つ以上の実装の詳細が、付随の図面および以下の説明に記載される。他の特徴、側面、および利点は、説明、図面、ならびに請求項から明白となるであろう。本概要または以下の発明を実施するための形態のいずれも、本開示の主題の範囲を定義または限定することを主張するものではない。
本願明細書は、例えば、以下の項目も提供する。
（項目１）
頭部搭載型ディスプレイシステムであって、前記頭部搭載型ディスプレイシステムは、
ディスプレイと、
実行可能命令を記憶している非一過性コンピュータ読み取り可能な記憶媒体と、
前記非一過性コンピュータ読み取り可能な記憶媒体と通信しているプロセッサと
を備え、
前記プロセッサは、
第１のデータオブジェクトを含む第１の通信を第１のデバイスから受信することであって、前記第１の通信は、少なくとも部分的に第１の共有データに基づいて生成され、前記第１のデバイスは、前記第１の共有データを第３のデバイスに送信するように構成さている、ことと、
第２のデータオブジェクトを含む第２の通信を第２のデバイスから受信することであって、前記第２の通信は、少なくとも部分的に第２の共有データに基づいて生成され、前記第２のデバイスは、前記第２の共有データを前記第３のデバイスに送信するように構成さている、ことと、
前記第１のデータオブジェクトおよび前記第２のデータオブジェクトを前記第３のデバイスに伝送することであって、前記第３のデバイスは、少なくとも部分的に前記第１のデバイスからの前記第１の共有データ、前記第２のデバイスからの前記第２の共有データ、前記頭部搭載型ディスプレイシステムからの前記第１のデータオブジェクト、および前記頭部搭載型ディスプレイシステムからの前記第２のデータオブジェクトに基づいて、前記頭部搭載型ディスプレイシステム、前記第１のデバイス、および前記第２のデバイスを認証するように構成されている、ことと、
第３のデータオブジェクトを含む第３の通信を前記第３のデバイスから受信することであって、前記第３のデータオブジェクトは、前記第３のデバイスが前記頭部搭載型ディスプレイシステム、前記第１のデバイス、および前記第２のデバイスを正常に認証したことを示す、ことと、
前記頭部搭載型ディスプレイシステムのユーザに、前記第３のデバイスが前記頭部搭載型ディスプレイを正常に認証したことを通知することと
を行うための前記実行可能命令によってプログラムされている、
頭部搭載型ディスプレイシステム。
（項目２）
前記第３のデバイスは、クラウドを経由して、前記頭部搭載型ディスプレイシステム、前記第１のデバイス、および前記第２のデバイスと通信する、項目１に記載の頭部搭載型ディスプレイシステム。
（項目３）
前記プロセッサは、前記頭部搭載型ディスプレイシステムの識別子を前記第３のデバイスに伝送するための前記実行可能命令によってさらにプログラムされている、項目１に記載の頭部搭載型ディスプレイシステム。
（項目４）
前記第３のデバイスは、少なくとも部分的に前記頭部搭載型ディスプレイシステムの識別子に基づいて、前記頭部搭載型ディスプレイシステム、前記第１のデバイス、および前記第２のデバイスを認証する、項目３に記載の頭部搭載型ディスプレイシステム。
（項目５）
前記第３のデータオブジェクトは、暗号化鍵を含む、項目３に記載の頭部搭載型ディスプレイシステム。
（項目６）
前記第１の通信は、前記第１のデバイスによって生成されている、項目１に記載の頭部搭載型ディスプレイシステム。
（項目７）
前記第２の通信は、前記第２のデバイスによって生成されている、項目１に記載の頭部搭載型ディスプレイシステム。
（項目８）
前記頭部搭載型ディスプレイシステム、前記第１のデバイス、および前記第２のデバイスを認証するために、前記第３のデバイスは、
前記第１の共有データに基づいて、前記第１のデータオブジェクトを生成することと、
前記第３のデバイスによって生成された前記第１のデータオブジェクトと前記頭部搭載型ディスプレイシステムからの前記第１のデータオブジェクトとの一貫性を確かめることと、
前記第２の共有データに基づいて、前記第２のデータオブジェクトを生成することと、
前記第３のデバイスによって生成された前記第２のデータオブジェクトと前記頭部搭載型ディスプレイシステムからの前記第２のデータオブジェクトとの一貫性を確かめることと、
を行うように構成されている、項目１に記載の頭部搭載型ディスプレイシステム。
（項目９）
前記第１の通信は、少なくとも部分的に第１のデータに基づいて、前記第１のデバイスによって生成され、前記第１のデータは、少なくとも部分的に前記第１の共有データに基づいて、前記第３のデバイスによって生成されている、項目１に記載の頭部搭載型ディスプレイシステム。
（項目１０）
前記第２の通信は、少なくとも部分的に第２のデータに基づいて、前記第２のデバイスによって生成され、前記第２のデータは、少なくとも部分的に前記第２の共有データに基づいて、前記第３のデバイスによって生成されている、項目９に記載の頭部搭載型ディスプレイシステム。
（項目１１）
前記頭部搭載型ディスプレイシステム、前記第１のデバイス、および前記第２のデバイスを認証するために、前記第３のデバイスは、
前記第１のデータに基づいて、前記第１のデータオブジェクトを生成することと、
前記第３のデバイスによって生成された前記第１のデータオブジェクトと前記頭部搭載型ディスプレイシステムからの前記第１のデータオブジェクトとの一貫性を確かめることと、
前記第２のデータに基づいて、前記第２のデータオブジェクトを生成することと、
前記第３のデバイスによって生成された前記第２のデータオブジェクトと前記頭部搭載型ディスプレイシステムからの前記第２のデータオブジェクトとの一貫性を確かめることと、
を行うように構成されている、項目１０に記載の頭部搭載型ディスプレイシステム。
（項目１２）
前記第１の共有データは、前記第１のデバイスの識別子を含み、前記第２の共有データは、前記第２のデバイスの識別子を含む、項目１に記載の頭部搭載型ディスプレイシステム。
（項目１３）
前記第１のデバイスの前記識別子は、前記第１のデバイスのアドレスを含み、前記第２のデバイスの前記識別子は、前記第２のデバイスのアドレスを含む、項目１２に記載の頭部搭載型ディスプレイシステム。
（項目１４）
前記第１のデバイスの前記アドレスおよび前記第２のデバイスの前記アドレスのうちの少なくとも１つは、前記第１のデバイスのインターネットプロトコル（ＩＰ）アドレス、前記第１のデバイスのメディアアクセス制御（ＭＡＣ）アドレス、またはそれらの組み合わせを含む、項目１３に記載の頭部搭載型ディスプレイシステム。
（項目１５）
前記第１のデバイスの前記識別子は、前記第１のデバイスを一意に識別し、前記第２のデバイスの前記識別子は、前記第２のデバイスを一意に識別する、項目１２に記載の頭部搭載型ディスプレイシステム。
（項目１６）
前記第１の共有データおよび前記第２の共有データのうちの少なくとも１つは、発話された語句を含む、項目１に記載の頭部搭載型ディスプレイシステム。
（項目１７）
前記発話された語句は、英数字語句を含む、項目１６に記載の頭部搭載型ディスプレイシステム。
（項目１８）
前記第１の共有データおよび前記第２の共有データのうちの少なくとも１つは、発話された語句の１つ以上のスペクトルの質を含む、項目１に記載の頭部搭載型ディスプレイシステム。
（項目１９）
前記第１の共有データおよび前記第２の共有データのうちの少なくとも１つは、ユーザのバイオメトリックデータを含む、項目１に記載の頭部搭載型ディスプレイシステム。
（項目２０）
前記第１の通信および前記第２の通信のうちの少なくとも１つは、光学通信を含む、項目１に記載の頭部搭載型ディスプレイシステム。
（項目２１）
前記光学通信は、１次元パターン、２次元光学パターン、またはそれらの組み合わせを含む、項目２０に記載の頭部搭載型ディスプレイシステム。
（項目２２）
前記第１の通信および前記第２の通信のうちの少なくとも１つは、オーディオ通信を含む、項目１に記載の頭部搭載型ディスプレイシステム。
（項目２３）
前記オーディオ通信は、ヒトの耳に聞こえない、項目２２に記載の頭部搭載型ディスプレイシステム。
（項目２４）
前記オーディオ通信は、超音波である、項目２２に記載の頭部搭載型ディスプレイシステム。
（項目２５）
前記第１の通信、前記第２の通信、および前記第３の通信のうちの少なくとも１つは、無線通信チャネルを介して受信される、項目１に記載の頭部搭載型ディスプレイシステム。
（項目２６）
前記無線通信チャネルは、Ｗｉ−Ｆｉ通信チャネル、近距離通信（ＮＦＣ）チャネル、またはそれらの組み合わせを含む、項目２５に記載の頭部搭載型ディスプレイシステム。
（項目２７）
前記第１のデバイスおよび前記第２のデバイスのうちの少なくとも１つは、別の頭部搭載型ディスプレイシステム、頭部搭載型ディスプレイシステム、トーテム、携帯電話、タブレットコンピュータ、モバイルデバイス、または任意のそれらの組み合わせのうちの少なくとも１つを含む、項目１に記載の頭部搭載型ディスプレイシステム。
（項目２８）
前記第１のデバイスおよび前記第２のデバイスは、アクセスポイントを通して前記第３のデバイスに接続されている、項目１に記載の頭部搭載型ディスプレイシステム。
（項目２９）
前記第１のデバイス、前記第２のデバイス、および前記頭部搭載型ディスプレイシステムは、アクセスポイントを通して前記第３のデバイスに接続されている、項目１に記載の頭部搭載型ディスプレイシステム。
（項目３０）
前記頭部搭載型ディスプレイシステムのユーザに通知するために、前記プロセッサは、前記ディスプレイを使用して、前記第３のデバイスが前記頭部搭載型ディスプレイを正常に認証したことを前記頭部搭載型ディスプレイシステムの前記ユーザに通知するようにプログラムされている、項目１に記載の頭部搭載型ディスプレイシステム。
（項目３１）
前記頭部搭載型ディスプレイシステムのユーザに通知するために、前記プロセッサは、前記第３のデバイスが前記頭部搭載型ディスプレイを正常に認証したことを前記頭部搭載型ディスプレイシステムの前記ユーザに通知するために前記ユーザに示されるユーザインターフェースを修正することを前記ディスプレイに行わせるようにプログラムされている、項目１に記載の頭部搭載型ディスプレイシステム。
（項目３２）
前記頭部搭載型ディスプレイのユーザに通知するために、前記プロセッサは、前記頭部搭載型ディスプレイシステムのスピーカを使用して、前記第３のデバイスが前記頭部搭載型ディスプレイを正常に認証したことを前記頭部搭載型ディスプレイの前記ユーザに通知するようにプログラムされている、項目１に記載の頭部搭載型ディスプレイシステム。
（項目３３）
ウェアラブルディスプレイシステムであって、前記ウェアラブルディスプレイシステムは、
ディスプレイと、
コンパニオンデバイスの画像を捕捉するように構成された画像捕捉デバイスと、
前記コンパニオンデバイスの画像および実行可能命令を記憶するように構成された非一過性コンピュータ読み取り可能な記憶媒体と、
前記画像捕捉デバイスおよび前記非一過性コンピュータ読み取り可能な記憶媒体と通信しているプロセッサと
を備え、
前記プロセッサは、
前記画像捕捉デバイスによって捕捉された前記コンパニオンデバイスによって表示される第１の光学パターンの第１の画像を受信することであって、前記第１の光学パターンは、第１の共有データに基づいて、前記コンパニオンデバイスによって生成されている、ことと、
第１のデータを前記受信された第１の画像内の前記第１の光学パターンから抽出することと、
前記第１の光学パターンから抽出された前記第１のデータに基づいて、前記コンパニオンデバイスを認証することと、
前記ウェアラブルディスプレイシステムのユーザに、前記コンパニオンデバイスが認証されたことを通知することと
を行うための前記実行可能命令によってプログラムされている、
ウェアラブルディスプレイシステム。
（項目３４）
前記プロセッサは、
前記第１の共有データを生成することと、
第１の通信チャネルを介して、前記第１の共有データを前記コンパニオンデバイスに伝送することと
を行うようにさらにプログラムされている、項目３３に記載のウェアラブルディスプレイシステム。
（項目３５）
前記コンパニオンデバイスを認証するために、前記プロセッサは、
前記第１のデータと前記第１の共有データとの一貫性を確かめるようにプログラムされている、項目３３に記載のウェアラブルディスプレイシステム。
（項目３６）
前記プロセッサは、
前記画像捕捉デバイスによって捕捉された前記コンパニオンデバイスによって表示される第２の光学パターンの第２の画像を受信することであって、前記第２の光学パターンは、第２の共有データに基づいて、前記コンパニオンデバイスによって生成され、前記第２の共有データは、前記コンパニオンデバイスによって生成されている、ことと、
第２のデータを前記受信された第２の画像内の前記第２の光学パターンから抽出することと、
第１の通信チャネルを介して、前記第２のデータを前記コンパニオンデバイスに伝送することと
を行うようにさらにプログラムされている、項目３３に記載のウェアラブルディスプレイシステム。
（項目３７）
前記コンパニオンデバイスは、
前記第２のデータを前記ウェアラブルディスプレイシステムから受信することと、
前記受信された前記第２のデータに基づいて、前記ウェアラブルディスプレイシステムを認証することと
を行うようにプログラムされている、項目３６に記載のウェアラブルディスプレイシステム。
（項目３８）
前記ウェアラブルディスプレイシステムを認証するために、前記コンパニオンデバイスは、
受信された前記第２のデータと前記第２の共有データとの一貫性を確かめるようにプログラムされている、項目３７に記載のウェアラブルディスプレイシステム。
（項目３９）
前記第１の共有データは、前記コンパニオンデバイスによって生成されている、項目３３に記載のウェアラブルディスプレイシステム。
（項目４０）
前記プロセッサは、
前記コンパニオンデバイスの公開鍵を受信することと、
第１の通信チャネルを介して、前記コンパニオンデバイスの暗号化された公開鍵を受信することであって、前記コンパニオンデバイスの前記暗号化された公開鍵は、前記第１の共有データを使用して、前記コンパニオンデバイスによって暗号化されている、ことと、
前記第１の共有データを使用して、前記コンパニオンデバイスの前記暗号化された公開鍵を解読し、解読された公開鍵を取得することと
を行うようにさらにプログラムされている、項目３３に記載のウェアラブルディスプレイシステム。
（項目４１）
前記コンパニオンデバイスを認証するために、前記プロセッサは、
前記解読された公開鍵と前記コンパニオンデバイスの前記公開鍵との一貫性を確かめるようにプログラムされている、項目４０に記載のウェアラブルディスプレイシステム。
（項目４２）
前記第１の通信チャネルは、無線通信チャネルである、項目３３に記載のウェアラブルディスプレイシステム。
（項目４３）
前記無線通信チャネルは、Ｗｉ−Ｆｉ通信チャネル、近距離通信（ＮＦＣ）チャネル、またはそれらの組み合わせを含む、項目４２に記載のウェアラブルディスプレイシステム。
（項目４４）
前記コンパニオンデバイスは、別のウェアラブルディスプレイシステム、頭部搭載型ディスプレイシステム、トーテム、携帯電話、タブレットコンピュータ、モバイルデバイス、または任意のそれらの組み合わせのうちの少なくとも１つを含む、項目３３に記載のウェアラブルディスプレイシステム。
（項目４５）
前記ウェアラブルディスプレイシステムのユーザに通知するために、前記プロセッサは、前記ディスプレイを使用して、前記コンパニオンデバイスが認証されたことを前記ウェアラブルディスプレイシステムの前記ユーザに通知するようにプログラムされている、項目３３に記載のウェアラブルディスプレイシステム。
（項目４６）
前記ウェアラブルディスプレイシステムのユーザに通知するために、前記プロセッサは、前記コンパニオンデバイスが認証されたことを前記ウェアラブルディスプレイシステムの前記ユーザに通知するために前記ユーザに示されるユーザインターフェースを修正することを前記ディスプレイに行わせるようにプログラムされている、項目３３に記載のウェアラブルディスプレイシステム。
（項目４７）
前記ウェアラブルディスプレイシステムのユーザに通知するために、前記プロセッサは、前記ウェアラブルディスプレイシステムのスピーカを使用して、前記コンパニオンデバイスが認証されたことを前記ウェアラブルディスプレイシステムの前記ユーザに通知するようにプログラムされている、項目３３に記載のウェアラブルディスプレイシステム。
（項目４８）
デバイス認証のための方法であって、前記方法は、
ハードウェアプロセッサの制御のもとで、
通信チャネルを介して、データオブジェクトを受信することと、
コンパニオンデバイスによって表示される光学パターンの画像を受信することであって、前記光学パターンは、共有データを使用して、前記コンパニオンデバイスによって生成されている、ことと、
第１のデータを前記受信された画像内の前記光学パターンから抽出することと、
前記第１のデータを使用して、前記データオブジェクトの変換を生成することと、
認証のために、前記通信チャネルを介して、前記データオブジェクトの前記変換を前記コンパニオンデバイスに伝送することと
を含む、方法。
（項目４９）
前記データオブジェクトは、チャレンジテキストを含む、項目４８に記載の方法。
（項目５０）
前記データオブジェクトの前記変換は、前記第１のデータを使用して生成された前記データオブジェクトのハッシュを含む、項目４８に記載の方法。
（項目５１）
前記データオブジェクトの前記変換は、前記第１のデータを使用して生成された暗号化されたデータオブジェクトを含む、項目４８に記載の方法。
（項目５２）
前記第１のデータは、前記共有データを含む、項目４８に記載の方法。
（項目５３）
認証のために、前記コンパニオンデバイスは、
前記共有データを使用して、前記データオブジェクトの変換を生成することと、
前記データオブジェクトの前記変換を受信することと、
前記データオブジェクトの前記受信された変換と前記データオブジェクトの前記生成された変換との一貫性を確かめることと
を行うように構成されている、項目４８に記載の方法。
（項目５４）
頭部搭載型ディスプレイシステムであって、前記頭部搭載型ディスプレイシステムは、
ディスプレイと、
実行可能命令を記憶している非一過性コンピュータ読み取り可能な記憶媒体と、
前記非一過性コンピュータ読み取り可能な記憶媒体と通信しているプロセッサと
を備え、
前記プロセッサは、
第１の通信をデバイスから受信することであって、前記第１の通信は、第１の共有情報に基づいて、前記デバイスによって生成されている、ことと、
第１の情報を前記第１の通信から抽出することと、
前記第１の通信から抽出された前記第１の情報に基づいて、前記デバイスを認証することと、
前記頭部搭載型ディスプレイシステムのユーザに、前記デバイスが認証されたことを通知することと
を行うための前記実行可能命令によってプログラムされている、
頭部搭載型ディスプレイシステム。
（項目５５）
前記第１の通信は、光学通信を含む、項目５４に記載の頭部搭載型ディスプレイシステム。
（項目５６）
前記光学通信は、１次元パターン、２次元光学パターン、またはそれらの組み合わせを含む、項目５５に記載の頭部搭載型ディスプレイシステム。
（項目５７）
前記第１の通信は、オーディオ通信を含む、項目５４に記載の頭部搭載型ディスプレイシステム。
（項目５８）
前記オーディオ通信は、ヒトの耳に聞こえない、項目５７に記載の頭部搭載型ディスプレイシステム。
（項目５９）
前記オーディオ通信は、超音波である、項目５７に記載の頭部搭載型ディスプレイシステム。
（項目６０）
前記第１の共有情報は、発話された語句を含む。項目５４に記載の頭部搭載型ディスプレイシステム
（項目６１）
前記発話された語句を捕捉するように構成されたマイクロホンをさらに備え、前記プロセッサは、前記発話された語句を受信するようにさらにプログラムされている、項目６０に記載の頭部搭載型ディスプレイシステム。
（項目６２）
前記デバイスのマイクロホンは、前記発話された語句を受信するように構成されている、項目６１に記載の頭部搭載型ディスプレイシステム。
（項目６３）
前記発話された語句は、英数字語句を含む、項目６０に記載の頭部搭載型ディスプレイシステム。
（項目６４）
前記第１の共有情報は、発話された語句の１つ以上のスペクトルの質を含む、項目５４に記載の頭部搭載型ディスプレイシステム。
（項目６５）
前記第１の共有情報は、ユーザのバイオメトリック情報を含む、項目５４に記載の頭部搭載型ディスプレイシステム。
（項目６６）
前記プロセッサは、前記ユーザのバイオメトリック情報を抽出するようにさらにプログラムされている、項目６５に記載の頭部搭載型ディスプレイシステム。
（項目６７）
前記プロセッサは、
前記第１の共有情報を生成することと、
第１の通信チャネルを介して、前記第１の共有情報を前記デバイスに伝送することと
を行うようにさらにプログラムされている、項目５４に記載の頭部搭載型ディスプレイシステム。
（項目６８）
前記デバイスを認証するために、前記プロセッサは、
前記第１の情報と前記第１の共有情報との一貫性を確かめるようにプログラムされている、項目５４に記載の頭部搭載型ディスプレイシステム。
（項目６９）
前記プロセッサは、
第２の通信を前記デバイスから受信することであって、前記第２の通信は、第２の共有情報に基づいて、前記デバイスによって生成され、前記第２の共有情報は、前記デバイスによって生成されている、ことと、
第２の情報を前記受信された第２の通信から抽出することと、
第１の通信チャネルを介して、前記第２の共有情報を前記デバイスに伝送することと
を行うようにさらにプログラムされている、項目５４に記載の頭部搭載型ディスプレイシステム。
（項目７０）
前記デバイスは、
前記第２の情報を前記頭部搭載型ディスプレイシステムから受信することと、
前記受信された第２の情報に基づいて、前記頭部搭載型ディスプレイシステムを認証することと
を行うようにプログラムされている、項目６９に記載の頭部搭載型ディスプレイシステム。
（項目７１）
前記頭部搭載型ディスプレイシステムを認証するために、前記デバイスは、
受信された前記第２の情報と生成された前記第２の共有情報との一貫性を確かめるようにプログラムされている、項目７０に記載の頭部搭載型ディスプレイシステム。
（項目７２）
前記第１の共有情報は、前記デバイスによって生成されている、項目５４に記載の頭部搭載型ディスプレイシステム。
（項目７３）
前記プロセッサは、
前記デバイスの公開鍵を受信することと、
第１の通信チャネルを介して、前記デバイスの暗号化された公開鍵を受信することであって、前記デバイスの前記暗号化された公開鍵は、前記第１の共有情報を使用して、前記デバイスによって暗号化されている、ことと、
前記第１の共有情報を使用して、前記デバイスの前記暗号化された公開鍵を解読し、解読された公開鍵を取得することと
を行うようにさらにプログラムされている、項目５４に記載の頭部搭載型ディスプレイシステム。
（項目７４）
前記デバイスを認証するために、前記プロセッサは、
前記解読された公開鍵と前記デバイスの公開鍵との一貫性を確かめるようにプログラムされている、項目７３に記載の頭部搭載型ディスプレイシステム。
（項目７５）
前記第１の通信チャネルは、無線通信チャネルである、項目５４に記載の頭部搭載型ディスプレイシステム。
（項目７６）
前記無線通信チャネルは、Ｗｉ−Ｆｉ通信チャネル、近距離通信（ＮＦＣ）チャネル、またはそれらの組み合わせを含む、項目７５に記載の頭部搭載型ディスプレイシステム。
（項目７７）
前記デバイスは、別の頭部搭載型ディスプレイシステム、頭部搭載型ディスプレイシステム、トーテム、携帯電話、タブレットコンピュータ、モバイルデバイス、または任意のそれらの組み合わせのうちの少なくとも１つを含む、項目５４に記載の頭部搭載型ディスプレイシステム。
（項目７８）
前記頭部搭載型ディスプレイシステムのユーザに通知するために、前記プロセッサは、前記ディスプレイを使用して、前記デバイスが認証されたことを前記頭部搭載型ディスプレイシステムの前記ユーザに通知するようにプログラムされている、項目５４に記載の頭部搭載型ディスプレイシステム。
（項目７９）
前記頭部搭載型ディスプレイシステムのユーザに通知するために、前記プロセッサは、前記デバイスが認証されたことを前記頭部搭載型ディスプレイシステムの前記ユーザに通知するために前記ユーザに示されるユーザインターフェースを修正することを前記ディスプレイに行わせるようにプログラムされている、項目５４に記載の頭部搭載型ディスプレイシステム。
（項目８０）
前記頭部搭載型ディスプレイシステムのユーザに通知するために、前記プロセッサは、前記頭部搭載型ディスプレイシステムのスピーカを使用して、前記コンパニオンデバイスが認証されたことを前記頭部搭載型ディスプレイシステムの前記ユーザに通知するようにプログラムされている、項目５４に記載の頭部搭載型ディスプレイシステム。